(57)【要約】【課題】ノート等、複数の記録紙を中央で綴じて、綴じ部に対して開いて使う非記録媒体において、記録補助具を用いる事なしに正確な印字可能な記録を行えるようにするノート等の記録装置による記録方法の提供。【解決手段】  ノート等、複数の記録紙を中央で綴じて、綴じ部に対して開いて使う非記録媒体において、前記非記録媒体の搬送方向は綴じ部の垂直方向であって、綴じ部より前方の印字は通常の搬送方向で記録を行い、綴じ部より後方の印字は通常の搬送方向とは反対に搬送しながら記録を行う事を特徴とする、ノート等の記録装置による記録方法。【選択図】        図１
2006205652.tif 000002
【特許請求の範囲】
【請求項１】
ノート等、複数の記録紙を中央で綴じて、綴じ部に対して開いて使う非記録媒体において、前記非記録媒体の搬送方向は綴じ部の垂直方向であって、綴じ部より前方の印字は通常の搬送方向で記録を行い、綴じ部より後方の印字は通常の搬送方向とは反対に搬送しながら記録を行う事を特徴とする、ノート等の記録装置による記録方法。
【請求項２】
ノート等、複数の記録紙を中央で綴じて、綴じ部に対して開いて使う非記録媒体において、前記非記録媒体の搬送方向は綴じ部の垂直方向であって、搬送ローラと排紙ローラが非記録媒体を挟む為の相対する部材は、それぞれリリース可能な機構を備えている事を特徴とする、ノート等の記録装置による記録方法。
【発明の詳細な説明】
【技術分野】
【０００１】
本発明はノート等の記録装置による記録方法に関し、ノート等、複数の記録紙を中央で綴じて、綴じ部に対して開いて使う非記録媒体において、特に搬送方向は綴じ部の垂直方向である印字方法に関するものである。
【背景技術】
【０００２】
従来、定形の記録紙に記録を行う通常の記録装置では、ノート等、非平面状非記録媒体に記録する為には、記録補助具等を使う方法が提案されている（例えば、特許文献１参照）。本発明の図５は、特許文献１の図１である。
【０００３】
図６は通常のインクジェット記録装置にノートを記録補助具なしで記録している様子を示している。ノートは通常閉じた状態では縦型なので、記録したい時は開いた状態で横型になる。記録装置の幅が大きくならないようにするには、図６のノート１０は幅が広くならないように横向きに入れる事になる。
【０００４】
図７は、ノート１０の綴じ１０ｃより前の頁１０ａを印字している状態を示している。１は記録装置の各ユニットを装着する板金製のシャーシ、２は非記録媒体の搬送方向に垂直方向にあるキャリッジ軸３上を走査されるキャリッジで、記録ヘッド４から非記録媒体に記録する（インクジェット式の場合、インクの吐出）。非記録媒体（図７ではノート１０）は搬送ローラ５とピンチローラ６に挟まれて、搬送ローラ５がＡ方行に回転することによって、Ｂ方向に搬送される。プラテン７上で記録されたノート１０（非記録媒体）は排紙ローラ８と拍車９に挟まれて機外に排紙されていく。
【０００５】
図８で、ノート１０の綴じ１０ｃより後の頁１０ｂを印字している状態を示している。搬送ローラ５がＡ方向に回転する事によってノート１０をＢ方向に搬送するのであるが、数ページある記録紙を綴じている綴じ部分が搬送ローラより前にある為、ノートの各頁の撓み、皺が出来てしまい、正確な搬送が出来ない。
【特許文献１】特開２００３−２６６８４０号公報
【発明の開示】
【発明が解決しようとする課題】
【０００６】
しかしながら、従来上記従来例の場合、記録補助具を必要とする。補助具は本体と別体なので無くしやすい。また、補助具分のコストアップを招く。更には、印字する度に装着、脱着を繰り返す為、操作性は低い。
【０００７】
また、記録補助具なしでノートを開いて縦送りにした場合、綴じ部分より後方記録時の非記録媒体の撓みにより、正確な搬送が出来ない。
【０００８】
また、ノートを開いて縦送りにした場合、記録中に搬送ローラ、排紙ローラに綴じ部分を挟むと厚みが変わり、搬送負荷等の変動等により、印字が乱れてしまう。
【０００９】
そこで、本発明は、ノート等、複数の記録紙を中央で綴じて、綴じ部に対して開いて使う非記録媒体において、記録補助具を用いる事なしに正確な印字可能な記録を行えるようにするノート等の記録装置による記録方法を提供する事を目的とする。
【課題を解決するための手段】
【００１０】
上記目的を達成する為に、本出願に係る第１の発明は、ノート等、複数の記録紙を中央で綴じて、綴じ部に対して開いて使う非記録媒体において、前記非記録媒体の搬送方向は綴じ部の垂直方向であって、綴じ部より前方の印字は通常の搬送方向で記録を行い、綴じ部より後方の印字は通常の搬送方向とは反対に搬送しながら記録を行う事を特徴とする。
【００１１】
第１の発明は、通常の搬送方向では綴じ部の後になる頁に関しては、逆に搬送しながら記録を行うようにしたので、綴じ部分は搬送ローラより後に位置するので、綴じ部分で各頁がしっかり拘束されているので、非記録媒体の撓みが発生せず、正確な搬送をする事が可能になる。
【００１２】
本出願に係る第２の発明は、ノート等、複数の記録紙を中央で綴じて、綴じ部に対して開いて使う非記録媒体において、前記非記録媒体の搬送方向は綴じ部の垂直方向であって、搬送ローラと排紙ローラが非記録媒体を挟む為の相対する部材は、それぞれリリース可能な機構を備えている事を特徴とする。
【００１３】
第２の発明は、搬送ローラで搬送すれば、綴じ部分が前になってしまう通常の搬送方向では綴じ部分の後の頁は、ピンチローラを非記録媒体からリリースし、排紙ローラと相対する部材によって搬送するので、綴じ部分搬送ローラのニップ部を通過する事がなくなるので、非記録媒体の厚みの変化による搬送制度の低下がなくなる。
【００１４】
綴じ部の後半を搬送ローラの逆転で行う第１の発明の場合は、排紙ローラの相対する部材をリリース事により、排紙ローラと相対する部材のニップ部を綴じ部材が通過する事がなくなるので、非記録部材の厚みの変化による搬送精度の低下がなくなる。
【発明の効果】
【００１５】
本発明によれば、ノート等、複数の記録紙を中央で綴じて、綴じ部に対して開いて使う非記録媒体において、前記非記録媒体の搬送方向は綴じ部の垂直方向であって、綴じ部より前方の印字は通常の搬送方向で記録を行い、綴じ部より後方の印字は通常の搬送方向とは反対に搬送しながら記録を行う事により、通常の搬送方向では綴じ部の後になる頁に関しては、逆に搬送しながら記録を行うようにしたので、綴じ部分は搬送ローラより後に位置するので、綴じ部分で各頁がしっかり拘束されているので、非記録媒体の撓みが発生せず正確な搬送をする事が可能になった。
【００１６】
ノート等、複数の記録紙を中央で綴じて、綴じ部に対して開いて使う非記録媒体において、前記非記録媒体の搬送方向は綴じ部の垂直方向であって、搬送ローラと排紙ローラが非記録媒体を挟む為の相対する部材は、それぞれリリース可能な機構を備えている事により、搬送ローラで搬送すれば、綴じ部分が前になってしまう通常の搬送方向では綴じ部分の後の頁は、ピンチローラを非記録媒体からリリースし、排紙ローラと相対する部材によって搬送するので、綴じ部分搬送ローラのニップ部を通過する事がなくなるので非記録媒体の厚みの変化による搬送制度の低下がなくなった。
【００１７】
綴じ部の後半を搬送ローラの逆転で行う第１の発明の場合は、排紙ローラの相対する部材をリリース事により、排紙ローラと相対する部材のニップ部を綴じ部材が通過する事がなくなるので、非記録部材の厚みの変化による搬送精度の低下がなった。
【発明を実施するための最良の形態】
【００１８】
以下本発明を実施するための最良の形態を、実施例により詳しく説明する。
【実施例】
【００１９】
（第１の実施の形態）
本発明による記録装置の第１実施の形態について説明する。
【００２０】
従来例の図７で、綴じ部分１０ｃより前の１０ａ部分への印字が終わった後、印字は行わずにノート１０をＢ方向に搬送する（搬送ローラ５はＡ方向回転）。搬送ローラ５とピンチローラ６のニップ近傍までノート１０をＢ方向に搬送した状態が図１である。
【００２１】
図１の状態で、綴じ部分１０ｃより通常の搬送方向とは逆（Ｄ方向）にノートを搬送しながら、綴じ部分１０ｃ後部分の１０ｂの印字する。印字データがＤ方向搬送用に変換されている事は言うまでもない。
【００２２】
図２は、ノート１０をＤ方向に搬送しながら印字している状態を示している。搬送ローラ５がＣ方向に回転しながらノート１０をＤ方向に搬送しているが、搬送ローラ５の引っ張り方向より後方に綴じ部分１０ｃがあるので、ノートの頁部分１０ｂが綴じ部分で拘束されているので、ノートの撓みが発生せず、正確な搬送を行える。
【００２３】
以上説明したように、ノート等、複数の記録紙を中央で綴じて、綴じ部に対して開いて使う非記録媒体において、前記非記録媒体の搬送方向は綴じ部の垂直方向であって、綴じ部より前方の印字は通常の搬送方向で記録を行い、綴じ部より後方の印字は通常の搬送方向とは反対に搬送しながら記録を行う事により、通常の搬送方向では綴じ部の後になる頁に関しては、逆に搬送しながら記録を行うようにしたので、綴じ部分は搬送ローラより後に位置するので、綴じ部分で各頁がしっかり拘束されているので、非記録媒体の撓みが発生せず正確な搬送をする事が可能になった。
【００２４】
（第２の実施の形態）
図３、４は本発明による第２の発明を示している。
【００２５】
図３ではＢ方向の搬送による、ノート１０ａ部への印字状態を示しているが、図３の状態より更にノート１０のＢ方向の搬送を続けると、綴じ部１０ｃが搬送ローラ５とピンチローラ６のニップ部１２を通過し、厚みの極端な変化からニップをノート１０ｂが通過する時に大きな搬送負荷の大きな変動より、印字精度の低下を招く。
【００２６】
そこで、ニップ部１２を綴じ部１０ｃが通過する直前に（図３の状態）、ピンチローラ６をＥ方向に図示していない移動手段で移動させ、ノート１０ｂに接触しない６ａに位置させる。ピンチローラ６ａが搬送ローラ５から完全にリリースしてしまったので、搬送ローラ５での搬送は出来ないから、ここからは排紙ローラ８をＧ方向に回転させる事でＢ方向に搬送を続ける。綴じ部分１０ｃが排紙ローラ８に届く前に印字ヘッド部４は通過するから記録状態は終わっていて、記録中に綴じ部分１０ｃが搬送手段である搬送ローラニップ部１２と排紙ローラニップ部１３を通過する事はない。
【００２７】
図４は、Ｄ方向の搬送による、ノート１０ｂ部への印字状態を示しているが、図４の状態より更にノート１０のＤ方向の搬送を続けると、綴じ部１０ｃが排紙ローラ８と相手部材９のニップ部１３を通過し、厚みの極端な変化からノート１０の搬送挙動に大きく影響を与え、ニップ１３をノート１０ａが通過する時に大きな搬送負荷の大きな変動より、印字精度の低下を招く。
【００２８】
そこで、ニップ部１３を綴じ部１０ｃが通過する直前に（図４の状態）、排紙ローラ相手部材９をＦ方向に図示していない移動手段で移動させ、ノート１０ａに接触しない９ａに位置させる。排紙ローラ相手部材９ａが排紙ローラ８から完全にリリースしてしまったので、ここからは綴じ部１０ｃがニップ部１３を通過する事はない。搬送ローラ５をＣ方向に回転させる事でＤ方向に搬送を続ける。綴じ部分１０ｃが搬送ローラ５に届く前に印字ヘッド部４は通過するから記録状態は終わっていて、記録中に綴じ部分１０ｃがニップ部１２を通過する事はない。
【００２９】
以上説明したように、ノート等、複数の記録紙を中央で綴じて、綴じ部に対して開いて使う非記録媒体において、前記非記録媒体の搬送方向は綴じ部の垂直方向であって、搬送ローラと排紙ローラが非記録媒体を挟む為の相対する部材は、それぞれリリース可能な機構を備えている事により、搬送ローラで搬送すれば、綴じ部分が前になってしまう通常の搬送方向では綴じ部分の後の頁は、ピンチローラを非記録媒体からリリースし、排紙ローラと相対する部材によって搬送するので、綴じ部分搬送ローラのニップ部を通過する事がなくなるので非記録媒体の厚みの変化による搬送制度の低下がなくなった。
【００３０】
綴じ部の後半を搬送ローラの逆転で行う第１の発明の場合は、排紙ローラの相対する部材をリリース事により、排紙ローラと相対する部材のニップ部を綴じ部材が通過する事がなくなるので、非記録部材の厚みの変化による搬送精度の低下がなった。
【図面の簡単な説明】
【００３１】
【図１】第１の実施の形態による断面図１
【図２】第１の実施の形態による断面図２
【図３】第２の実施の形態による断面図１
【図４】第２の実施の形態による断面図２
【図５】特許文献１の斜視図
【図６】一般的な印字装置の斜視図
【図７】背景技術の形態による断面図１
【図８】背景技術の形態による断面図２
【符号の説明】
【００３２】
４    印字ヘッド
５    搬送ヘッド
６    ピンチローラ
７    プラテン
８    排紙ローラ
９    排紙ローラ相手部材
１０    ノート
１０ａ  ノート綴じ部より前方印字部
１０ｂ  ノート綴じ部より後方印字部
１０ｃ  ノート綴じ部
【図１】
2006205652.tif 000003
【図２】
2006205652.tif 000004
【図３】
2006205652.tif 000005
【図４】
2006205652.tif 000006
【図５】
2006205652.tif 000007
【図６】
2006205652.tif 000008
【図７】
2006205652.tif 000009
【図８】
2006205652.tif 000010